(57)【特許請求の範囲】
【請求項１】
上半身に着る服である上衣であって、
襟ぐり部と、
前記襟ぐり部周辺に位置する部位であって、当該上衣の下に着用したブラジャーの肩紐を上から覆い隠す襟ぐり周辺部と、
着用者の胸の上方、かつ、前記着用者の腋の下方の高さに位置し、前記着用者の胸囲方向に伸び縮みする伸縮部材によって、前記着用者の体と当該上衣との間に隙間が出来ることを防ぐ胸部上方伸縮部と、を有し、
前記伸縮部材が、ゴム紐であることを特徴とする上衣。
【請求項２】
前記胸部上方伸縮部において前記伸縮部材が、当該上衣の周囲全体に配置されることを特徴とする請求項１に記載の上衣。
【請求項３】
タンクトップであることを特徴とする請求項１又は２に記載の上衣。
【発明の詳細な説明】
【技術分野】
【０００１】
上半身に着る被服上衣の技術に関し、特にカットソー（Ｔシャツ、タンクトップ等）で、襟ぐりが幅広又は深い被服上衣の技術に関する。
【背景技術】
【０００２】
生活の基本的要件「衣食住」の一つである「衣」については、装飾性、機能性など様々な観点のニーズが存在し、それらに応ずるべく研究・開発の活動が盛んに行われている。
【０００３】
例えば、下記の特許文献１乃至４では、各特許文献において設定された課題を解決するために、伸縮部材を特定の位置に配置した被服に関する技術が開示されている。
【先行技術文献】
【特許文献】
【０００４】
【特許文献１】特開２００２−３０２８１０号公報
【特許文献２】実用新案登録第３１６４８４６号公報
【特許文献３】特開２００２−１３８３０２号公報
【特許文献４】特開２０１１−４７０９５号公報
【発明の概要】
【発明が解決しようとする課題】
【０００５】
しかしながら、上記の従来技術においては、「女性用下着であるブラジャーを着用したとき該ブラジャーの肩紐を他人に見られたくない」、「襟ぐりが幅広又は深い上衣を着用し前屈みの姿勢になったとき襟ぐり（首穴）が開き、そこから胸元を他人にのぞかれたくない」という２つのニーズを同時に解決できないという問題点を有する。
【０００６】
そこで本発明では、上記問題点に鑑み、肩紐付きブラジャーを気兼ねなく着用でき、前屈みの姿勢になっても着用者の胸部が外から見え難い上衣を提供することを目的とする。
【課題を解決するための手段】
【０００７】
開示する上衣は、上半身に着る服である上衣であって、襟ぐり部と、前記襟ぐり部周辺に位置する部位であって、当該上衣の下に着用したブラジャーの肩紐を上から覆い隠す襟ぐり周辺部と、着用者の胸の上方、かつ、前記着用者の腋の下方の高さに位置し、前記着用者の胸囲方向に伸び縮みする伸縮部材によって、前記着用者の体と当該上衣との間に隙間が出来ることを防ぐ胸部上方伸縮部と、を有することを特徴とする。
【発明の効果】
【０００８】
開示する上衣は、肩紐付きブラジャーを気兼ねなく着用でき、前屈みの姿勢になっても着用者の胸部が外から見え難い。
【図面の簡単な説明】
【０００９】
【図１】本実施の形態に係る上衣の正面図である。
【図２】本実施の形態に係る上衣の背面図である。
【図３】本実施の形態に係る上衣の使用状態図である。
【発明を実施するための形態】
【００１０】
図面を参照しながら、本発明を実施するための形態について説明する。
（本実施の形態に係る上衣の構造）
【００１１】
図１乃至３を用いて、本実施の形態に係る上衣１の構造について説明する。図１は上衣１の正面図であり、図２は上衣１の背面図であり、図３は着用者１４が上衣１を着用した状態を表す図である。
【００１２】
図１乃至３で示すように、上衣１は、上半身に着る、襟ぐりが幅広又は深い被服であり、例えばカットソー（Ｔシャツ、タンクトップ等）が典型的な例であるが、袖の有無は特に限定しない。上衣１は、襟ぐり部２、襟ぐり周辺部４、胸部上方伸縮部６を有する。
【００１３】
襟ぐり部２は、着用者１４が上衣１を着用するときに首を通す部位であり、首穴、ネックホールとも呼ばれる部位である。襟ぐり部２は、幅広又は深い形状を成している。
【００１４】
襟ぐり周辺部４は、襟ぐり部２の周辺に位置する部位であり、着用者１４が上衣１の下に着用したブラジャー１０の肩紐１２を上から覆い隠す部位である。従って、襟ぐり周辺部４の幅は、肩紐１２を上から覆い隠すことができる程度の広さを備える必要がある。
襟ぐり周辺部４が肩紐１２を覆い隠すため、上衣１は、着用者１４が肩紐付きブラジャーを気兼ねなく着用することができる状況を提供することができる。
【００１５】
胸部上方伸縮部６は、着用者１４の胸部の上方、かつ、着用者１４の腋部の下方の高さに位置し、胸囲方向（横方向、周囲方向）に配置される部位である。胸部上方伸縮部６は、着用者１４の胸囲方向に伸び縮みする伸縮部材８を備え、伸縮部材８の伸縮機能に基づいて、着用者１４の体（胸部上方位置）と上衣１との間に隙間が形成されることを防ぐ部位である。「着用者１４の体と上衣１との間に隙間が形成されることを防ぐ」とは、胸部上方伸縮部６の位置において上衣１を着用者１４の体に密着させることである。伸縮部材８は、ゴム等の伸縮性を備えるものを材料とし紐状の細長い部材であることが好適である。
【００１６】
胸部上方伸縮部６は、着用者１４の胸囲方向全体に一様に配置される形態であっても良く、例えば前方部位、後方部位、脇下部位など上衣１周囲の一部に配置される形態であっても良い。また伸縮部材８も、着用者１４の胸囲方向全体に一様に配置される形態であっても良く、例えば前方部位、後方部位、脇下部位など上衣１周囲の一部に配置される形態であっても良い。
【００１７】
例えば着用者１４が前屈み姿勢になったときであっても、胸部上方伸縮部６によって着用者１４の胸元には隙間が出来ないため、上衣１は、前屈みの姿勢になっても着用者１４の胸部が外から見え難い状況を提供する。
【００１８】
上衣１は、襟ぐり部２が形成する開口部を小さくすることによって胸元に隙間を生成させ難くするというアプローチを採用しない。上衣１は、デザイン性を高めるため、襟ぐり部２のデザインは自由にさせ、襟ぐり部２より下方に位置する、襟ぐり部２とは別部位である胸部上方伸縮部６に胸元の隙間を生成させ難くするという役割を持たせている。こうすることによって、上衣１は、デザイン性と機能性を両立させる。
（本実施の形態に係る上衣の使用方法）
【００１９】
図３で示すように、着用者１４は、一般的な上衣と同様に、上衣１の襟ぐり部２に頭部を通し、上衣１の腕部又は袖部に手を通して、上衣１を着用する。着用者１４は、ブラジャー１０の肩紐１２が襟ぐり周辺部４で隠れるように肩紐１２及び襟ぐり周辺部４の配置を適宜調整する。
【００２０】
図３で示すように、着用者１４は、胸部上方伸縮部６がブラジャー１０のカップ部に掛からないように、胸部上方伸縮部６及びブラジャー１０の配置を適宜調整する。
【００２１】
このようにすることで、着用者１４は、前屈み姿勢になったときであっても、下に垂れた襟ぐり部２の隙間から自身の胸元を見られ難い状況とすることができる。また着用者１４は、自身の着用するブラジャー１０の肩紐１２を隠すことができているため、肩紐付きブラジャー１０を気兼ねなく着用することができる。
【００２２】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２３】
１    上衣
２    襟ぐり部（首穴（ネックホール））
４    襟ぐり周辺部
６    胸部上方伸縮部
８    伸縮部材
１０  ブラジャー
１２  ブラジャーの肩紐
１４  着用者
【図１】
0006558994.tif 000002
【図２】
0006558994.tif 000003
【図３】
0006558994.tif 000004